(57)【要約】【課題】騒音を気にする時間帯において、電動送風機の回転による運転音や振動以外の騒音を低減することができる電気掃除機を提供する。【解決手段】吸引風を発生させる送風機と、吸引風で塵埃を吸い込むための吸込口を有する吸込口体と、吸込口に設けられたブラシと、吸込口体に設けられ、ブラシを回転させるモータと、特定の時間帯におけるモータの回転数を、特定の時間帯とは異なる時間帯におけるモータの回転数よりも小さい値に設定する制御部と、を備えた。【選択図】図５
2012055364.tif 000002
【特許請求の範囲】
【請求項１】
吸引風を発生させる送風機と、
前記吸引風で塵埃を吸い込むための吸込口を有する吸込口体と、
前記吸込口に設けられたブラシと、
前記吸込口体に設けられ、前記ブラシを回転させるモータと、
特定の時間帯における前記モータの回転数を、前記特定の時間帯とは異なる時間帯における前記モータの回転数よりも小さい値に設定する制御部と、
を備えたことを特徴とする電気掃除機。
【請求項２】
外部からの電波に基づいて時刻を補正する時計、
を備え、
前記制御部は、前記時計が出力する前記時刻の情報に基づいて、前記モータの回転数を設定することを特徴とする請求項１記載の電気掃除機。
【請求項３】
前記制御部は、前記特定の時間帯における前記送風機の回転数を、前記特定の時間帯とは異なる時間帯における前記送風機の回転数よりも小さい値に設定することを特徴とする請求項１又は請求項２に記載の電気掃除機。
【請求項４】
前記制御部は、前記特定の時間帯とは異なる時間帯の場合は、前記送風機及び前記モータの運転をそれぞれ所定の回転数となるモードで開始させ、前記特定の時間帯の場合は、前記送風機及び前記モータの運転をそれぞれ前記所定の回転数よりも少ない回転数となるモードで開始させることを特徴とする請求項１〜請求項３のいずれかに記載の電気掃除機。
【請求項５】
前記送風機の回転数を設定するための操作部と、
前記操作部に設けられ、操作された場合に、前記送風機の回転数及び前記モータの回転数をまとめて低減させる操作ボタンと、
を備えたことを特徴とする請求項１〜請求項４のいずれかに記載の電気掃除機。
【発明の詳細な説明】
【技術分野】
【０００１】
この発明は、電気掃除機に関するものである。
【背景技術】
【０００２】
電気掃除機には、電動送風機が設けられる。電動送風機は、回転することで吸引風を発生させる。電動送風機の回転は、騒音の基となる。そこで、特定の時間帯における電動送風機の回転数を、特定の時間帯とは異なる時間帯における電動送風機の回転数よりも小さい値に設定するものが提案されている。これにより、騒音を気にする時間帯において、電気掃除機の運転音や振動を低減することができる（例えば、特許文献１参照）。
【先行技術文献】
【特許文献】
【０００３】
【特許文献１】特開平２−１２６８２１号公報
【発明の概要】
【発明が解決しようとする課題】
【０００４】
しかしながら、特許文献１記載のものにおいては、電動送風機の運転音や振動以外の騒音を考慮していない。
【０００５】
この発明は、上述のような課題を解決するためになされたもので、その目的は、騒音を気にする時間帯において、電動送風機の運転音や振動以外の騒音を低減することができる電気掃除機を提供することである。
【課題を解決するための手段】
【０００６】
この発明に係る電気掃除機は、吸引風を発生させる送風機と、前記吸引風で塵埃を吸い込むための吸込口を有する吸込口体と、前記吸込口に設けられたブラシと、前記吸込口体に設けられ、前記ブラシを回転させるモータと、特定の時間帯における前記モータの回転数を、前記特定の時間帯とは異なる時間帯における前記モータの回転数よりも小さい値に設定する制御部と、を備えたものである。
【発明の効果】
【０００７】
この発明によれば、騒音を気にする時間帯において、電動送風機の回転による運転音や振動以外の騒音を低減することができる。
【図面の簡単な説明】
【０００８】
【図１】この発明の実施の形態１における電気掃除機の斜視図である。
【図２】この発明の実施の形態１における電気掃除機の電動機付き吸込口体の要部断面図である。
【図３】この発明の実施の形態１における電気掃除機の操作部の正面図である。
【図４】この発明の実施の形態１における電気掃除機の回路図である。
【図５】この発明の実施の形態１における電気掃除機の動作を説明するためのフローチャートである。
【図６】この発明の実施の形態２における電気掃除機の動作を説明するためのフローチャートである。
【図７】この発明の実施の形態３における電気掃除機の動作を説明するためのフローチャートである。
【図８】この発明の実施の形態４における電気掃除機の操作部の正面図である。
【図９】この発明の実施の形態４における電気掃除機の動作を説明するためのフローチャートである。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１における電気掃除機の斜視図である。
図１において、１は掃除機本体である。掃除機本体１後部には、電源プラグ２が設けられる。電源プラグ２は、商用電源（図１においては図示せず）を掃除機本体１へ供給するためのものである。
【００１１】
掃除機本体１内には、電動送風機３が設けられる。電動送風機３は、商用電源を用いて回転することにより、吸引風を発生させるためのものである。掃除機本体１前部には、接続部４が形成される。接続部４には、ホース５後部が着脱自在に連結される。ホース５には、ピアノ線（図示せず）が内蔵される。ホース５前部には、延長管６後部が着脱自在に連結される。延長管６前部には、電動機付き吸込口体７が着脱自在に取り付けられる。
【００１２】
ホース５前部には、操作部８が設けられる。操作部８には、各種スイッチ、停止スイッチが設けられる。各種スイッチ、停止スイッチの操作により、吸引風の強弱が選択されたり、吸引風の発生が停止したりする。
【００１３】
次に、図２を用いて、電動機付き吸込口体７を説明する。
図２はこの発明の実施の形態１における電気掃除機の電動機付き吸込口体の要部断面図である。
図２に示すように、電動機付き吸込口体７は、吸込口体本体９、回転ブラシ１０、ブラシモータ１１を備える。具体的には、吸込口体本体９の底面に、吸込口（図示せず）が設けられる。吸込口に、回転ブラシ１０が回転自在に設けられる。吸込口体本体９内後部に、ブラシモータ１１が設けられる。回転ブラシ１０とブラシモータ１１とには、駆動ベルト（図示せず）が巻き回される。
【００１４】
このような電動機付き吸込口体７においては、ブラシモータ１１は、商用電源（図２においては図示せず）を用いて回転する。この回転により、駆動ベルトが移動する。この移動により、回転ブラシ１０が回転する。この回転により、回転ブラシ１０が床面上の塵埃等を集める。集められた塵埃等は、吸引風により吸込口から吸込口体本体９内部へ吸い込まれる。
【００１５】
次に、図３を用いて、操作部８を説明する。
図３はこの発明の実施の形態１における電気掃除機の操作部の正面図である。
【００１６】
図３に示すように、操作部８上部には、スイッチＳＷ１が設けられる。スイッチＳＷ１は、ブラシモータ１１をＯＮ／ＯＦＦさせるためのものである。
【００１７】
操作部８中央部には、スイッチＳＷ２が設けられる。スイッチＳＷ２は、電動送風機３の運転モードを選択するためのものである。具体的には、初期状態でスイッチＳＷ２が押されたときは、電動送風機３の運転モードとして、強モードが選択される。強モードが選択された状態でスイッチＳＷ２が押されたときは、運転モードが中モードに切り替わる。中モードが選択された状態でスイッチＳＷ２が押されたときは、運転モードが弱モードに切り替わる。そして、運転モードの強・中・弱に対応して、電動送風機３の回転数の値が大・中・小に設定される。
【００１８】
操作部８下部には、スイッチＳＷ３が設けられる。スイッチＳＷ３は、電動送風機３の運転を停止させるためのものである。
【００１９】
次に、図４を用いて、電気掃除機の回路構成を説明する。
図４はこの発明の実施の形態１における電気掃除機の回路図である。
【００２０】
まず、回路構成全体の概要を説明する。
図４において、１２は商用電源である。商用電源１２の電力は、掃除機本体１に供給される。この電力により、電動送風機３が回転する。また、商用電源１２の電力は、ホース５と延長管６とを介して、電動機付き吸込口体７にも供給される。この電力により、ブラシモータ１１が回転する。
【００２１】
次に、電動機付き吸込口体７内の回路構成を説明する。
商用電源１２の一端とブラシモータ１１の一端との間に、安全スイッチ１３が接続される。安全スイッチ１３は、電動機付き吸込口体７が床面から持ち上げられたときに開放する。この開放により、ブラシモータ１１への電力供給が遮断される。この遮断により、ブラシモータ１１が停止する。
【００２２】
次に、掃除機本体１内の回路構成を説明する。
商用電源１２の一端と電動送風機３の一端との間に、１５Ａ電流ヒューズ１４が接続される。１５Ａ電流ヒューズ１４は、保護装置として機能する。例えば、電動送風機３の回転がロックした場合、１５Ａ電流ヒューズ１４は、回路上に流れる異常電流を遮断する。
【００２３】
電動送風機３よりもブラシモータ１１側で、商用電源１２の他端とブラシモータ１１の他端との間に、４Ａ電流ヒューズ１５が接続される。４Ａ電流ヒューズ１５は、保護装置として機能する。例えば、ブラシモータ１１の回転がロックした場合、４Ａ電流ヒューズ１５は、回路上に流れる異常電流を遮断する。
【００２４】
商用電源１２の他端と電動送風機３の他端との間に、トライアック（双方向サイリスタ）１６が接続される。また、電動送風機３の一端とブラシモータ１１の一端との間に、トライアック（双方向サイリスタ）１７が接続される。
【００２５】
電動送風機３の一端及びトライアック１７間の配線と４Ａ電流ヒューズ１５及びブラシモータ１１他端間の配線との間に、ダイオードＤ１と電解コンデンサＣ１とが直列に接続される。
【００２６】
ダイオードＤ１及び電解コンデンサＣ１の接続点には、直流電源装置１８の入力端が接続される。直流電源装置１８の出力端からは、所定の直流電圧（ＤＶ１２Ｖ）が出力される。直流電源装置１８の出力端は、定電圧電源１９の入力端に接続される。定電圧電源１９の出力端からは、所定の定電圧（ＤＣ５Ｖ）が出力される。
【００２７】
電解コンデンサＣ１よりもブラシモータ１１側で、４Ａ電流ヒューズ１５及びブラシモータ１１他端間の配線と直流電源装置１８の出力端及び定電圧電源１９の入力端間の配線との間に、電解コンデンサＣ２が接続される。これにより、定電圧電源１９の発振が抑制される。定電圧電源１９の出力端とグランドとの間に、電解コンデンサＣ３が接続される。これにより、定電圧電源１９の出力が安定する。
【００２８】
定電圧電源１９からの出力（５Ｖ）は、マイクロコンピュータ２０に供給される。マイクロコンピュータ２０の入力端とグランド（図示せず）との間には、抵抗Ｒ５が接続される。マイクロコンピュータ２０の出力端は、トライアック１６、１７の制御端子に接続される。
【００２９】
次に、ホース５内の回路構成を説明する。
操作部８の入力端は、定電圧電源１９の出力端に接続される。操作部８の出力端は、マイクロコンピュータ２０の入力端に接続される。操作部８内では、抵抗Ｒ１〜Ｒ４が並列に接続される。抵抗Ｒ１〜Ｒ４は、互いに異なる抵抗値を有する。抵抗Ｒ２〜Ｒ４には、それぞれ、スイッチＳＷ１〜ＳＷ３が直列に接続される。
【００３０】
このような電気掃除機においては、定電圧電源１９の出力（５Ｖ）は、操作部８の抵抗と抵抗Ｒ５と分圧されて、マイクロコンピュータ２０に印加される。このとき、操作部８の抵抗値は、操作されたスイッチＳＷ１〜ＳＷ３に対応した抵抗Ｒ２〜Ｒ４のいずれかと抵抗Ｒ１とを合成したものとなる。
【００３１】
このため、操作されたスイッチにより、操作部８の抵抗値が変化する。すなわち、操作されたスイッチにより、マイクロコンピュータ２０に入力される電圧が異なる。この異なる電圧によって、マイクロコンピュータ２０は、何れのスイッチＳＷ１〜ＳＷ３が選択されたかを判定する。マイクロコンピュータ２０は、判定結果に基づいて、トライアック１６、１７に制御信号やＯＮ／ＯＦＦ信号を出力し、電動送風機３やブラシモータ１１に供給する交流電流を制御する。
【００３２】
本実施の形態においては、掃除機本体１内に、時計２１が設けられる。時計２１は、自動時刻規制機能を有する。すなわち、時計２１は、ラジオの時報や電波時計のように時刻情報を有する電波信号に基づいて自己の時刻を補正する。時計２１は、現在の時刻情報をマイクロコンピュータ２０に出力する。
【００３３】
マイクロコンピュータ２０は、現在の時刻情報に基づいて、トライアック１７への制御信号の出力の設定を変化させる制御部として機能する。具体的には、マイクロコンピュータ２０は、特定の時間帯における電動機付き吸込口体７のブラシモータ１１の回転数を所定の割合で低減させるように、トライアック１７への制御信号の出力を設定する。
【００３４】
次に、図５を用いて、電気掃除機の動作を説明する。
図５はこの発明の実施の形態１における電気掃除機の動作を説明するためのフローチャートである。
【００３５】
電源プラグ２がコンセントに接続されると、商用電源１２が投入される。この投入により、ステップＳ１に進む。ステップＳ１では、時計２１は、時刻規制を自動で行う。その後、ステップＳ２に進み、マイクロコンピュータ２０は、現在の時刻が特定の時間帯内か否かを判定する。
【００３６】
現在の時刻が特定の時間帯内の場合は、ステップＳ３に進む。ステップＳ３では、電動機付き吸込口体７のブラシモータ１１の回転数を低減させた設定に変更し、ステップＳ４に進む。これに対し、現在の時刻が特定の時間帯外の場合は、ステップＳ３を経由せずに、ステップＳ４に進む。
【００３７】
ステップＳ４では、マイクロコンピュータ２０は、操作部８が操作されたか否かを判定する。操作部８が操作されていない場合は、ステップＳ５に進む。ステップＳ５では、マイクロコンピュータ２０は、電動送風機３が動作中か否かを判定する。電動送風機３が動作中でない場合は、ステップＳ２に戻る。これに対し、電動送風機３が動作中の場合は、運転モードを保持し、ステップＳ４に戻る。
【００３８】
ステップＳ４でマイクロコンピュータ２０が操作部８からの入力電圧を検知した場合は、ステップＳ６に進む。ステップＳ６は、マイクロコンピュータ２０は、入力電圧から強スイッチ（スイッチＳＷ２の強）が操作されたか否かを判定する。強スイッチが操作された場合は、ステップＳ７に進む。
【００３９】
ステップＳ７では、マイクロコンピュータ２０は、電動送風機３及び電動機付き吸込口体７のブラシモータ１１が強モードで運転されるようにトライアック１６、１７を制御し、ステップＳ４に戻る。これにより、電動送風機３及び電動機付き吸込口体７のブラシモータ１１の動作は、強スイッチ以外のスイッチが操作されるまで、強モードに保持される。
【００４０】
ステップＳ６で操作されたスイッチが強スイッチでない場合は、ステップＳ８に進む。ステップＳ８では、マイクロコンピュータ２０は、入力電圧から中スイッチ（スイッチＳＷ２の中）が操作されたか否かを判定する。中スイッチが操作された場合は、ステップＳ９に進む。
【００４１】
ステップＳ９では、電動送風機３及び電動機付き吸込口体７のブラシモータ１１が中モードで運転されるようにトライアック１６、１７を制御し、ステップＳ４に戻る。これにより、電動送風機３及び電動機付き吸込口体７のブラシモータ１１の動作は、中スイッチ以外のスイッチが操作されるまで、中モードに保持される。
【００４２】
ステップＳ８で操作されたスイッチが中スイッチでない場合は、ステップＳ１０に進む。ステップＳ１０では、マイクロコンピュータ２０は、入力電圧から弱スイッチ（スイッチＳＷ２の弱）が操作されたか否かを判定する。弱スイッチが操作された場合は、ステップＳ１１に進む。
【００４３】
ステップＳ１１では、電動送風機３及び電動機付き吸込口体７のブラシモータ１１が弱モードで運転されるようにトライアック１６、１７を制御し、ステップＳ４に戻る。これにより、電動送風機３及び電動機付き吸込口体７のブラシモータ１１の動作は、弱スイッチ以外のスイッチが操作されるまで、弱モードに保持される。
【００４４】
ステップＳ１０で操作されたスイッチが弱スイッチでない場合は、ステップＳ１２に進む。ステップＳ１２では、マイクロコンピュータ２０は、切りスイッチ（スイッチＳＷ３）が操作されたか否かを判定する。
【００４５】
切りスイッチが操作されていない場合は、その時点の動作状態が保持され、ステップＳ４に戻る。これに対し、切りスイッチが操作された場合は、ステップＳ１３に進む。ステップＳ１３では、トライアック１６、１７をＯＦＦにして、電動送風機３及び電動機付き吸込口体７のブラシモータ１１の運転を停止し、動作が終了する。
【００４６】
上記の現在の時刻判定は定期的に行われる。電動送風機３及び電動機付き吸込口体７のブラシモータ１１が動作中に特定の時間帯内になった場合、電動機付き吸込口体７のブラシモータ１１の回転数は、低減した設定に変更される。これに対し、電動送風機３及び電動機付き吸込口体７のブラシモータ１１が動作中に特定の時間帯外となった場合は、電動機付き吸込口体７のブラシモータ１１の回転数は、低減した設定から解除される。
【００４７】
以上で説明した実施の形態１によれば、特定の時間帯におけるブラシモータ１１の回転数は、特定の時間帯とは異なる時間帯におけるブラシモータ１１の回転数よりも小さい値に設定される。このため、騒音を気にする時間帯において、電動送風機３の運転音や振動以外の騒音を自動で低減することができる。これにより、騒音を気にすることなく、いつでも掃除することができる。また、ブラシモータ１１の回転数を低減することにより、電力消費を節約することができる。
【００４８】
また、時計２１は外部からの電波信号に基づいて時刻を補正する。このため、騒音を気にする時間帯を正確に把握することができる。
【００４９】
実施の形態２．
図６はこの発明の実施の形態２における電気掃除機の動作を説明するためのフローチャートである。なお、実施の形態１と同一又は相当部分には同一符号を付して説明を省略する。
【００５０】
実施の形態１においては、特定の時間帯になった場合に、電動機付き吸込口体７のブラシモータ１１の回転数を所定の割合で低減していた。一方、実施の形態２においては、特定の時間帯になった場合に、電動送風機３及び電動機付き吸込口体７のブラシモータ１１の回転数を所定の割合で低減する。以下、図６を用いて、実施の形態２における電気掃除機の動作を説明する。
【００５１】
図６のステップＳ２１〜Ｓ３３は、図５のステップＳ１〜ステップＳ１３に対応する。ただし、ステップＳ２３は、ステップＳ３と異なる。具体的には、ステップＳ３では、電動機付き吸込口体７のブラシモータ１１の回転数を低減した設定に変更していた。これに対し、ステップＳ２３では、電動送風機３の回転数及び電動機付き吸込口体７のブラシモータ１１の回転数を低減した設定に変更する。
【００５２】
実施の形態１と同様に、現在の時刻判定は定期的に行われる。電動送風機３及び電動機付き吸込口体７のブラシモータ１１が動作中に特定の時間帯内になった場合、電動送風機３の回転数及び電動機付き吸込口体７のブラシモータ１１の回転数は、低減した設定に変更される。これに対し、電動送風機３及び電動機付き吸込口体７のブラシモータ１１が動作中に特定の時間帯外となった場合は、電動送風機３の回転数及び電動機付き吸込口体７のブラシモータ１１の回転数は、低減した設定から解除される。
【００５３】
以上で説明した実施の形態２によれば、特定の時間帯における電動送風機３の回転数も、特定の時間帯とは異なる時間帯における電動送風機３の回転数よりも小さい値に設定される。このため、騒音を気にする時間帯において、電気掃除機の騒音をより低減することができる。また、電動送風機３の回転数を低減することにより、電力消費をより節約することができる。
【００５４】
実施の形態３．
図７はこの発明の実施の形態３における電気掃除機の動作を説明するためのフローチャートである。なお、実施の形態１と同一又は相当部分には同一符号を付して説明を省略する。
【００５５】
実施の形態１では、特定の時間帯内であるか否かに関わらず、初期状態でスイッチＳＷ２が押されたときは、電動送風機３及び電動機付き電動機付き吸込口体７のブラシモータ１１の運転モードとして、強モードが選択されていた。その後、強モードが選択された状態でスイッチＳＷ２が押されたときは、運転モードは中モードに切り替わっていた。さらに、中モードが選択された状態でスイッチＳＷ２が押されたときは、運転モードは弱モードに切り替わっていた。
【００５６】
特定の時間帯外の場合、実施の形態３も実施の形態１と同様である。これに対し、特定の時間帯内の場合、実施の形態３では、初期状態でスイッチＳＷ２が押されたときは、電動送風機３及び電動機付き電動機付き吸込口体７のブラシモータ１１の運転モードとして、弱モードが選択される。その後、弱モードが選択された状態でスイッチＳＷ２が押されたときは、運転モードは強モードに切り替わる。さらに、強モードが選択された状態でスイッチＳＷ２が押されたときは、運転モードは中モードに切り替わる。以下、図７を用いて、実施の形態３における電気掃除機の動作を説明する。
【００５７】
図７のステップＳ４１〜Ｓ５３は、図５のステップＳ１〜ステップＳ１３に対応する。ただし、ステップＳ４３以降の動作は、図５のステップＳ３以降の動作と異なる。すなわち、ステップＳ４３で、マイクロコンピュータ２０は、電動機付き吸込口体７のブラシモータ１１の回転数を低減させた設定に変更し、ステップＳ５４に進む。ステップＳ５４では、マイクロコンピュータ２０は、特定の時間帯内であると判断し、運転モードの順番を変更する。
【００５８】
その後、ステップＳ５５では、マイクロコンピュータ２０は操作部８が操作されたかどうかを判定する。操作部８が操作されていない場合は、ステップＳ５６に進む。ステップＳ５６では、マイクロコンピュータ２０は、電動送風機３が動作中か否かを判定する。電動送風機３が動作中でない場合は、ステップＳ４２に戻る。これに対し、電動送風機３が動作中の場合は、運転モードを保持し、ステップＳ５５に戻る。
【００５９】
ステップＳ５５でマイクロコンピュータ２０が操作部８からの入力電圧を検知した場合は、ステップＳ５７に進む。ステップＳ５７では、マイクロコンピュータ２０は、入力電圧から運転モード選択ＳＷ（スイッチＳＷ２）が操作されたか否かを判定する。運転モード選択ＳＷが操作された場合は、ステップＳ５８に進む。ステップＳ５８では、電動送風機３が動作中か否かを判定する。電動送風機３が動作中でない場合は、ステップＳ５９に進む。
【００６０】
ステップＳ５９では、電動送風機３及び電動機付き吸込口体７のブラシモータ１１が弱モードで運転されるようにトライアック１６、１７を制御し、ステップＳ５５に戻る。これにより、電動送風機３及び電動機付き吸込口体７のブラシモータ１１の動作は、弱スイッチ以外のスイッチが操作されるまで、弱モードに保持される。
【００６１】
ステップＳ５８で電動送風機３が動作中の場合は、ステップＳ６０に進む。ステップＳ６０では、マイクロコンピュータ２０は、入力電圧から強スイッチ（スイッチＳＷ２の強）が操作されたか否かを判定する。強スイッチが操作された場合は、ステップＳ６１に進む。
【００６２】
ステップＳ６１では、電動送風機３及び電動機付き吸込口体７のブラシモータ１１が強モードで運転されるようにトライアック１６、１７を制御し、ステップＳ５５に戻る。これにより、電動送風機３及び電動機付き電動機付き吸込口体７のブラシモータ１１の動作は、強スイッチ以外のスイッチが操作されるまで、強モードに保持される。
【００６３】
ステップＳ６０で操作されたスイッチが強スイッチでない場合は、ステップＳ６２に進む。ステップＳ６２では、マイクロコンピュータ２０は、入力電圧から中スイッチ（スイッチＳＷ２の中）が操作されたか否かを判定する。中スイッチが操作された場合は、ステップＳ６３に進む。
【００６４】
ステップＳ６３では、電動送風機３及び電動機付き吸込口体７のブラシモータ１１が中モードで運転されるようにトライアック１６、１７を制御し、ステップＳ５５に戻る。これにより、電動送風機３及び電動機付き電動機付き吸込口体７のブラシモータ１１の動作は、中スイッチ以外のスイッチが操作されるまで、中モードに保持される。
【００６５】
ステップＳ５７で運転モード選択ＳＷが操作されていない場合、ステップＳ６４に進む。ステップＳ６４では、マイクロコンピュータ２０は、切りスイッチ（スイッチＳＷ３）が操作されたか否かを判定する。
【００６６】
切りスイッチが操作されていない場合は、その時点での動作状態が保持され、ステップＳ５５に戻る。これに対し、切りスイッチが操作された場合は、ステップＳ６５に進む。ステップＳ６５では、トライアック１６、１７をＯＦＦにして、電動送風機３及び電動機付き吸込口体７のブラシモータ１１の運転を停止し、動作が終了する。
【００６７】
以上で説明した実施の形態３によれば、特定の時間帯とは異なる時間帯の場合は、強モードに対応した回転数で電動送風機３及びブラシモータ１１の運転が開始する。これに対し、特定の時間帯の場合は、弱モードに対応した回転数で電動送風機３及びブラシモータ１１の運転が開始する。このため、騒音を気にする時間帯に電気掃除機を使用する際、電動送風機３及びブラシモータ１１の騒音を低減することができる。
【００６８】
なお、電動送風機３及びブラシモータ１１の運転開始時の回転数を、実施の形態３のものに限定する必要はない。例えば、特定の時間帯とは異なる時間帯の場合、電動送風機３及びブラシモータ１１の運転をそれぞれ所定の回転数となるモードで開始させるとする。この場合、特定の時間帯では、電動送風機３及びブラシモータ１１の運転をそれぞれ所定の回転数よりも少ない回転数となるモードで開始させればよい。この場合も、騒音を気にする時間帯に電気掃除機を使用する際、電動送風機３及びブラシモータ１１の騒音を低減することができる。
【００６９】
実施の形態４．
図８はこの発明の実施の形態４における電気掃除機の操作部の正面図である。なお、実施の形態１と同一又は相当部分には同一符号を付して説明を省略する。
【００７０】
実施の形態１においては、操作部８に、スイッチＳＷ１〜ＳＷ３が設けられていた。一方、実施の形態４においては、操作部８に、スイッチＳＷ１〜ＳＷ３に加え、スイッチＳＷ４が設けられる。具体的には、スイッチＳＷ４は、スイッチＳＷ１とスイッチＳＷ２との間に設けられる。スイッチＳＷ４は、静音モードをＯＮ／ＯＦＦさせるための操作ボタンである。そして、静音モードがＯＮになると、電動送風機３の回転数及び電動機付き吸込口体７のブラシモータ１１の回転数が所定の割合で低減するようになっている。
【００７１】
次に、図９を用いて、実施の形態４の電気掃除機の動作を説明する。
図９はこの発明の実施の形態４における電気掃除機の動作を説明するためのフローチャートである。
【００７２】
電源プラグ２がコンセントに接続されると、商用電源１２が投入される。この投入により、ステップＳ７１に進む。ステップＳ７１では、マイクロコンピュータ２０は、操作部８が操作されたか否かを判定する。操作部８が操作されていない場合は、ステップＳ７２に進む。ステップＳ７２では、マイクロコンピュータ２０は、電動送風機３が動作中か否かを判定する。この判定結果に関わらず、ステップＳ７１に戻る。
【００７３】
ステップＳ７１でマイクロコンピュータ２０が操作部８からの入力電圧を検知した場合は、ステップＳ７３に進む。ステップＳ７３では、マイクロコンピュータ２０は、静音スイッチ（スイッチＳＷ４）が操作されたか否かを判定する。静音スイッチが操作された場合は、ステップＳ７４に進む。ステップＳ７４では、電動送風機３の回転数及び電動機付き吸込口体７のブラシモータ１１の回転数が切り替えられる。
【００７４】
具体的には、電動送風機３の回転数及び電動機付き吸込口体７のブラシモータ１１の回転数を低減した設定となっていない場合は、電動送風機３の回転数及び電動機付き吸込口体７のブラシモータ１１の回転数は、低減した設定に変更される。これに対し、電動送風機３の回転数及び電動機付き吸込口体７のブラシモータ１１の回転数を低減した設定となっている場合は、電動送風機３の回転数及び電動機付き吸込口体７のブラシモータ１１の回転数は、低減した設定から解除される。
【００７５】
その後、ステップＳ７１に戻る。これにより、電動送風機３の回転数及び電動機付き吸込口体７のブラシモータ１１の回転数は、再び静音スイッチが操作されるまで、現状の設定に保持される。
【００７６】
ステップＳ７３で操作されたスイッチが静音スイッチでない場合は、ステップＳ７５に進む。ステップＳ７５では、マイクロコンピュータ２０は、入力電圧から強スイッチ（スイッチＳＷ２の強）が操作されたか否かを判定する。強スイッチが操作された場合は、ステップＳ７６に進む。
【００７７】
ステップＳ７６では、電動送風機３及び電動機付き吸込口体７のブラシモータ１１が強モードで運転されるようにトライアック１６、１７を制御し、ステップＳ７１に戻る。これにより、電動送風機３及び電動機付き吸込口体７のブラシモータ１１の動作は、強スイッチ以外のスイッチが操作されるまで、強モードに保持される。
【００７８】
ステップＳ７５で操作されたスイッチが強スイッチでない場合は、ステップＳ７７に進む。ステップＳ７７では、マイクロコンピュータ２０は、入力電圧から中スイッチ（スイッチＳＷ２の中）が操作されたか否かを判定する。中スイッチが操作された場合は、ステップＳ７８に進む。
【００７９】
ステップＳ７８では、電動送風機３及び電動機付き吸込口体７のブラシモータ１１が中モードで運転されるようにトライアック１６、１７を制御し、ステップＳ７１に戻る。これにより、電動送風機３及び電動機付き吸込口体７のブラシモータ１１の動作は、中スイッチ以外のスイッチが操作されるまで、中モードに保持される。
【００８０】
ステップＳ７７で操作されたスイッチが中スイッチでない場合は、ステップＳ７９に進む。ステップＳ７９では、マイクロコンピュータ２０は、入力電圧から弱スイッチ（スイッチＳＷ２の弱）が操作されたか否かを判定する。弱スイッチが操作された場合は、ステップＳ８０に進む。
【００８１】
ステップＳ８０では、電動送風機３及び電動機付き吸込口体７のブラシモータ１１が弱モードで運転されるようにトライアック１６、１７を制御し、ステップＳ７１に戻る。これにより、電動送風機３及び電動機付き吸込口体７のブラシモータ１１の動作は、弱スイッチ以外のスイッチが操作されるまで、弱モードに保持される。
【００８２】
ステップＳ７９で操作されたスイッチが弱スイッチでない場合は、ステップＳ８１に進む。ステップＳ８１では、マイクロコンピュータ２０は、切りスイッチ（スイッチＳＷ３）が操作されたか否かを判定する。
【００８３】
切りスイッチが操作されていない場合は、その時点の動作状態が保持され、ステップＳ７１に戻る。これに対し、切りスイッチが操作された場合は、ステップＳ８２に進む。ステップＳ８２では、トライアック１６、１７をＯＦＦにして、電動送風機３及び電動機付き吸込口体７のブラシモータ１１の運転を停止し、動作が終了する。
【００８４】
実施の形態４においては、実施の形態１と同様に、特定の時間帯内では電動送風機３の回転数及び電動機付き電動機付き吸込口体７のブラシモータ１１の回転数を低減した設定するようにしてもよい。この場合、特定の時間帯内において、静音モードスイッチ（ＳＷ４）が操作されると、電動送風機３の回転数及び電動機付き吸込口体７のブラシモータ１１の回転数は、低減した設定から解除される。
【００８５】
以上で説明した実施の形態４によれば、電動送風機３の回転数とブラシモータ１１の回転数とをまとめて低減させる静音スイッチが操作部８に設けられる。このため、特定の時間帯とは異なる時間帯であっても、騒音を気にする状況となった場合に、電動送風機３及びブラシモータ１１の運転音や振動の騒音を低減することができる。また、電動送風機３の回転数及びブラシモータ１１の回転数を低減することにより、電力消費を節約することができる。
【符号の説明】
【００８６】
１  掃除機本体
２  電源プラグ
３  電動送風機
４  接続部
５  ホース
６  延長管
７  電動機付き吸込口体
８  操作部
９  吸込口体本体
１０  回転ブラシ
１１  ブラシモータ
１２  商用電源
１３  安全スイッチ
１４  １５Ａ電流ヒューズ
１５  ４Ａ電流ヒューズ
１６、１７  トライアック
１８  直流電源装置
１９  定電圧電源
２０  マイクロコンピュータ
２１  時計
【図１】
2012055364.tif 000003
【図２】
2012055364.tif 000004
【図３】
2012055364.tif 000005
【図４】
2012055364.tif 000006
【図５】
2012055364.tif 000007
【図６】
2012055364.tif 000008
【図７】
2012055364.tif 000009
【図８】
2012055364.tif 000010
【図９】
2012055364.tif 000011